(57)【特許請求の範囲】
【請求項１】
被梱包体のコーナ部に発泡スチロール等で成形した緩衝材が当接したその外側を覆う段ボール製梱包体であって、前記緩衝材のコーナ部に対応する位置で前記段ボールを折り曲げるための罫線（筋）と、この折り曲げにて形成される稜線部分がその周辺部分に比して柔軟性を有する帯状の柔軟性部分を備え、前記罫線（筋）は、間隔を存して並行しその両端部で閉じる罫線（筋）によって長く帯状に延びた面積領域を区画形成し、この面積領域を前記柔軟性部分としたことを特徴とする段ボール製梱包体。
【請求項２】
被梱包体のコーナ部に発泡スチロール等で成形した緩衝材が当接したその外側を覆う段ボール製梱包体であって、前記緩衝材のコーナ部に対応する位置で前記段ボールを折り曲げるための罫線（筋）と、この折り曲げにて形成される稜線部分がその周辺部分に比して柔軟性を有する帯状の柔軟性部分を備え、前記罫線（筋）は、間隔を存して並行しその両端部で閉じる罫線（筋）によって長く帯状に延びた面積領域を区画形成する部分とこの面積領域の両端部から延びる部分とを備え、前記面積領域を前記柔軟性部分としたことを特徴とする段ボール製梱包体。
【請求項３】
被梱包体のコーナ部に発泡スチロール等で成形した緩衝材が当接したその外側を覆う段ボール製梱包体であって、前記緩衝材のコーナ部に対応する位置で前記段ボールを折り曲げるための罫線（筋）と、この折り曲げにて形成される稜線部分がその周辺部分に比して柔軟性を有する帯状の柔軟性部分を備え、前記段ボールは表ライナーと裏ライナーとが波状の中芯で結合された構成をなし、前記柔軟性部分は、前記中芯の押し潰しによって形成されたことを特徴とする段ボール製梱包体。
【請求項４】
被梱包体のコーナ部に発泡スチロール等で成形した緩衝材が当接したその外側を覆う段ボール製梱包体であって、前記緩衝材のコーナ部に対応する位置で前記段ボールを折り曲げるための罫線（筋）と、この折り曲げにて形成される稜線部分がその周辺部分に比して柔軟性を有する帯状の柔軟性部分を備え、前記罫線（筋）は、前記柔軟性部分の長さ方向の両端に形成され、前記段ボールは表ライナーと裏ライナーとが波状の中芯で結合された構成をなし、前記柔軟性部分は、前記中芯の押し潰しによって形成されたことを特徴とする段ボール製梱包体。
【請求項５】
前記段ボールは表ライナーと裏ライナーとが波状の中芯で結合された構成をなし、前記柔軟性部分は、前記中芯の押し潰しによって形成されたことを特徴とする請求項１または２に記載の段ボール製梱包体。
【請求項６】
前記緩衝材の外面コーナ部に曲線又は平面で形成された面取り部に対応する部分に前記柔軟性部分を形成し、前記段ボールは表ライナーと裏ライナーとが波状の中芯で結合された構成をなし、前記柔軟性部分は、前記中芯の押し潰しによって形成されたことを特徴とする請求項１または２に記載の段ボール製梱包体。
【請求項７】
前記緩衝材の外面コーナ部に曲線又は平面で形成された面取り部の面取り幅に比して前記面積領域の幅を幅広に形成し、前記段ボールは表ライナーと裏ライナーとが波状の中芯で結合された構成をなし、前記柔軟性部分は、前記中芯の押し潰しによって形成されたことを特徴とする請求項１または２に記載の段ボール製梱包体。
【請求項８】
前記柔軟性部分は、前記段ボール製梱包体の前記中芯の波状の尾根と交差する方向に長く形成されたことを特徴とする請求項１〜７のいずれかに記載の段ボール製梱包体。
【請求項９】
被梱包体のコーナ部に発泡スチロール等で成形した緩衝材が当接したその外側を覆う段ボール製梱包体であって、前記緩衝材のコーナ部に対応する位置で前記段ボールを折り曲げるための罫線（筋）と、この折り曲げにて形成される稜線部分がその周辺部分に比して柔軟性を有する帯状の柔軟性部分を備え、前記段ボールは表ライナーと裏ライナーとが波状の中芯で結合された構成をなし、前記柔軟性部分は、前記表ライナー、裏ライナー若しくは中芯が存在しない状態によって形成されたことを特徴とする段ボール製梱包体。
【請求項１０】
被梱包体のコーナ部に発泡スチロール等で成形した緩衝材が当接したその外側を覆う段ボール製梱包体であって、前記緩衝材のコーナ部に対応する位置で前記段ボールを折り曲げるための罫線（筋）と、この折り曲げにて形成される稜線部分がその周辺部分に比して柔軟性を有する帯状の柔軟性部分を備え、前記罫線（筋）は、前記柔軟性部分の長さ方向の両端に形成され、前記段ボールは表ライナーと裏ライナーとが波状の中芯で結合された構成をなし、前記柔軟性部分は、前記表ライナー、裏ライナー若しくは中芯が存在しない状態によって形成されたことを特徴とする段ボール製梱包体。
【請求項１１】
前記段ボールは表ライナーと裏ライナーとが波状の中芯で結合された構成をなし、前記柔軟性部分は、前記表ライナー、裏ライナー若しくは中芯が存在しない状態によって形成されたことを特徴とする請求項１または２に記載の段ボール製梱包体。
【請求項１２】
前記緩衝材の外面コーナ部に曲線又は平面で形成された面取り部に対応する部分に前記柔軟性部分を形成し、前記段ボールは表ライナーと裏ライナーとが波状の中芯で結合された構成をなし、前記柔軟性部分は、前記表ライナー、裏ライナー若しくは中芯が存在しない状態によって形成されたことを特徴とする請求項１または２に記載の段ボール製梱包体。
【請求項１３】
前記緩衝材の外面コーナ部に曲線又は平面で形成された面取り部の面取り幅に比して前記面積領域の幅を幅広に形成し、前記段ボールは表ライナーと裏ライナーとが波状の中芯で結合された構成をなし、前記柔軟性部分は、前記表ライナー、裏ライナー若しくは中芯が存在しない状態によって形成されたことを特徴とする請求項１または２に記載の段ボール製梱包体。
【発明の詳細な説明】
【技術分野】
【０００１】
本発明は、被梱包体のコーナ部に発泡スチロール等で成形した緩衝材が当接したその外側を覆う段ボール製梱包体及びこれを備えた梱包装置に関する。
【背景技術】
【０００２】
被梱包体を段ボール梱包することは周知であるが、冷蔵庫等のように略直方体である被梱包体の梱包の場合は、その被梱包体のコーナ部の保護として、発泡スチロールの緩衝材を設けている。このような梱包装置の一つとして、段ボールで形成された上面を開放した箱体の内部左右前後間に発泡スチロールの緩衝材を設け冷蔵庫等の被梱包体を載置する底部箱体と、この底部箱体に載置された被梱包体の上部から被せる合成樹脂製の袋と、段ボールで形成され底面を開放した箱体の内部左右前後間に袋を被せた被梱包体の上部左右コーナ部を保護する発泡スチロールの緩衝材を設け被梱包体の上部に被せる上部箱体とからなり、外周をバンドで締結した梱包装置がある（特許文献１参照）。
【特許文献１】特開２００２−０５３１９４号公報
【発明の開示】
【発明が解決しようとする課題】
【０００３】
この特許文献１のように、被梱包体のコーナ部の保護として発泡スチロールの緩衝材を設けている場合、外周をバンドで締結した際に、バンドの締め付け力によって段ボールの稜線部にバンドが食い込むが、この緩衝材は若干の弾力性か可撓性を有するため、その食い込みが更に大きくなって段ボールの稜線部が破損する虞がある。このような状態を図９に基づき説明する。図９には、略直方体又は略立方体の被梱包体５０のコーナ部に発泡スチロールの緩衝材５１が当接する状態で、段ボール製梱包体５２を被せ、その外周をバンド５３で締結した状態を示している。この場合、バンド５３の締め付け力によって段ボール製梱包体５２の稜線部が潰れて食い込み５４が形成される。そして、輸送時において、バンド５３が引っ張られることによって、緩衝材５１の弾力性又は可撓性と相俟ってこの食い込み５４は更に大きくなり、このために、バンド５３の締め付けが弱まると共に、この食い込み５４部分から段ボール製梱包体５２が破損し易くなり問題である。
【０００４】
このように、被梱包体５０のコーナ部の保護として発泡スチロールの緩衝材５１を設ける場合、図１０に示すように、梱包作業時等において緩衝材５１のコーナ部が破損しないようにする等のために、緩衝材５１の外面コーナ部に曲線又は平面状の面取り部５５を形成した場合、段ボール製梱包体５２の稜線部をこの面取り部５５の曲線又は平面に合わせた状態に折り曲げればよいが、多くの場合、梱包作業の煩わしさのためにそのような折り曲げは省かれる。その場合は、段ボール製梱包体５２の稜線部が略直角の折り曲げのままであるため、バンド５３で締結した場合には、バンド５３による大きな食い込み５４が生じることとなる。
【０００５】
本発明は、このような点に鑑みて、段ボール製梱包体のコーナ部に柔軟性を持たせて、バンドで締結した場合の食い込みを抑制する手段を講じる。特に、緩衝材の外面コーナ部に曲線又は平面状の面取り部を形成した場合にも、段ボール製梱包体の稜線部がその面取り部に沿った状態となるようにして、段ボール製梱包体の稜線部におけるバンドの食い込みによる破損を防止する柔軟性部分を形成するものである。また、この柔軟性部分での折り曲げがし易くなるようにするために、段ボールを折り曲げるための罫線（筋）の形成位置とこの柔軟性部分とを関連させる構成とするものである。
【課題を解決するための手段】
【０００６】
第１発明の段ボール製梱包体は、被梱包体のコーナ部に発泡スチロール等で成形した緩衝材が当接したその外側を覆う段ボール製梱包体であって、前記緩衝材のコーナ部に対応する位置で前記段ボールを折り曲げるための罫線（筋）と、この折り曲げにて形成される稜線部分がその周辺部分に比して柔軟性を有する帯状の柔軟性部分を備え、前記罫線（筋）は、間隔を存して並行しその両端部で閉じる罫線（筋）によって長く帯状に延びた面積領域を区画形成し、この面積領域を前記柔軟性部分としたことを特徴とする。
【０００７】
第２発明の段ボール製梱包体は、被梱包体のコーナ部に発泡スチロール等で成形した緩衝材が当接したその外側を覆う段ボール製梱包体であって、前記緩衝材のコーナ部に対応する位置で前記段ボールを折り曲げるための罫線（筋）と、この折り曲げにて形成される稜線部分がその周辺部分に比して柔軟性を有する帯状の柔軟性部分を備え、前記罫線（筋）は、間隔を存して並行しその両端部で閉じる罫線（筋）によって長く帯状に延びた面積領域を区画形成する部分とこの面積領域の両端部から延びる部分とを備え、前記面積領域を前記柔軟性部分としたことを特徴とする。
【０００８】
第３発明の段ボール製梱包体は、被梱包体のコーナ部に発泡スチロール等で成形した緩衝材が当接したその外側を覆う段ボール製梱包体であって、前記緩衝材のコーナ部に対応する位置で前記段ボールを折り曲げるための罫線（筋）と、この折り曲げにて形成される稜線部分がその周辺部分に比して柔軟性を有する帯状の柔軟性部分を備え、前記段ボールは表ライナーと裏ライナーとが波状の中芯で結合された構成をなし、前記柔軟性部分は、前記中芯の押し潰しによって形成されたことを特徴とする。
【０００９】
第４発明の段ボール製梱包体は、被梱包体のコーナ部に発泡スチロール等で成形した緩衝材が当接したその外側を覆う段ボール製梱包体であって、前記緩衝材のコーナ部に対応する位置で前記段ボールを折り曲げるための罫線（筋）と、この折り曲げにて形成される稜線部分がその周辺部分に比して柔軟性を有する帯状の柔軟性部分を備え、前記罫線（筋）は、前記柔軟性部分の長さ方向の両端に形成され、前記段ボールは表ライナーと裏ライナーとが波状の中芯で結合された構成をなし、前記柔軟性部分は、前記中芯の押し潰しによって形成されたことを特徴とする。
【００１０】
第５発明の段ボール製梱包体は、第１発明または第２発明において、前記段ボールは表ライナーと裏ライナーとが波状の中芯で結合された構成をなし、前記柔軟性部分は、前記中芯の押し潰しによって形成されたことを特徴とする。
【００１１】
第６発明の段ボール製梱包体は、第１発明または第２発明において、前記緩衝材の外面コーナ部に曲線又は平面で形成された面取り部に対応する部分に前記柔軟性部分を形成し、前記段ボールは表ライナーと裏ライナーとが波状の中芯で結合された構成をなし、前記柔軟性部分は、前記中芯の押し潰しによって形成されたことを特徴とする。
【００１２】
第７発明の段ボール製梱包体は、第１発明または第２発明において、前記緩衝材の外面コーナ部に曲線又は平面で形成された面取り部の面取り幅に比して前記面積領域の幅を幅広に形成し、前記段ボールは表ライナーと裏ライナーとが波状の中芯で結合された構成をなし、前記柔軟性部分は、前記中芯の押し潰しによって形成されたことを特徴とする。
【００１３】
第８発明の段ボール製梱包体は、第１発明乃至第７発明のいずれかにおいて、前記柔軟性部分は、前記段ボール製梱包体の前記中芯の波状の尾根と交差する方向に長く形成されたことを特徴とする。
【００１４】
第９発明の段ボール製梱包体は、被梱包体のコーナ部に発泡スチロール等で成形した緩衝材が当接したその外側を覆う段ボール製梱包体であって、前記緩衝材のコーナ部に対応する位置で前記段ボールを折り曲げるための罫線（筋）と、この折り曲げにて形成される稜線部分がその周辺部分に比して柔軟性を有する帯状の柔軟性部分を備え、前記段ボールは表ライナーと裏ライナーとが波状の中芯で結合された構成をなし、前記柔軟性部分は、前記表ライナー、裏ライナー若しくは中芯が存在しない状態によって形成されたことを特徴とする。
【００１５】
第１０発明の段ボール製梱包体は、被梱包体のコーナ部に発泡スチロール等で成形した緩衝材が当接したその外側を覆う段ボール製梱包体であって、前記緩衝材のコーナ部に対応する位置で前記段ボールを折り曲げるための罫線（筋）と、この折り曲げにて形成される稜線部分がその周辺部分に比して柔軟性を有する帯状の柔軟性部分を備え、前記罫線（筋）は、前記柔軟性部分の長さ方向の両端に形成され、前記段ボールは表ライナーと裏ライナーとが波状の中芯で結合された構成をなし、前記柔軟性部分は、前記表ライナー、裏ライナー若しくは中芯が存在しない状態によって形成されたことを特徴とする。
また、第１１発明の段ボール製梱包体は、第１発明または第２発明において、前記段ボールは表ライナーと裏ライナーとが波状の中芯で結合された構成をなし、前記柔軟性部分は、前記表ライナー、裏ライナー若しくは中芯が存在しない状態によって形成されたことを特徴とする。
更に、第１２発明の段ボール製梱包体は、第１発明または第２発明において、前記緩衝材の外面コーナ部に曲線又は平面で形成された面取り部に対応する部分に前記柔軟性部分を形成し、前記段ボールは表ライナーと裏ライナーとが波状の中芯で結合された構成をなし、前記柔軟性部分は、前記表ライナー、裏ライナー若しくは中芯が存在しない状態によって形成されたことを特徴とする。
更にまた、第１３発明の段ボール製梱包体は、第１発明または第２発明において、前記緩衝材の外面コーナ部に曲線又は平面で形成された面取り部の面取り幅に比して前記面積領域の幅を幅広に形成し、前記段ボールは表ライナーと裏ライナーとが波状の中芯で結合された構成をなし、前記柔軟性部分は、前記表ライナー、裏ライナー若しくは中芯が存在しない状態によって形成されたことを特徴とする。
【発明の効果】
【００１６】
第１発明では、罫線（筋）に沿って段ボールを折り曲げることにより形成される稜線部分に柔軟性部分が位置し、柔軟性部分を緩衝材のコーナ部に対応する所定の位置にすることが容易となり、バンドで締め付けた際、段ボール製梱包体の柔軟性部分が緩衝材のコーナ部に沿うことにより、段ボール製梱包体の稜線部のバンドの食い込みによる破損が防止できる。特に、緩衝材に発泡スチロール製を採用した場合において、バンドの締め付けによってその緩衝材のコーナ部が窪んでも、柔軟性部分がその窪みに伴う形状変化をして、段ボール製梱包体の稜線部のバンドの食い込みによる破損が防止できる。そして、段ボールを罫線（筋）で折り曲げる際に、罫線（筋）で形成された面積領域が、その折り曲げによって形成される稜線部分になり、この部分に柔軟性部分が位置するようになり、柔軟性部分を緩衝材のコーナ部に対応する所定の位置にすることが容易となり、更に好ましいものとなる。
【００１７】
第２発明は、罫線（筋）に沿って段ボールを折り曲げることにより形成される稜線部分に柔軟性部分が位置し、柔軟性部分を緩衝材のコーナ部に対応する所定の位置にすることが容易となり、バンドで締め付けた際、段ボール製梱包体の柔軟性部分が緩衝材のコーナ部に沿うことにより、段ボール製梱包体の稜線部のバンドの食い込みによる破損が防止できる。特に、緩衝材に発泡スチロール製を採用した場合において、バンドの締め付けによってその緩衝材のコーナ部が窪んでも、柔軟性部分がその窪みに伴う形状変化をして、段ボール製梱包体の稜線部のバンドの食い込みによる破損が防止できる。そして、段ボールを罫線（筋）で折り曲げる際に、罫線（筋）で形成された面積領域の左右に延びる罫線（筋）を結ぶライン上が、その折り曲げによって形成される稜線部分を規定するため、面積領域の左右に延びる罫線（筋）を結ぶライン上に柔軟性部分が位置するようになり、更に好ましいものとなる。
【００１８】
第３発明では、罫線（筋）に沿って段ボールを折り曲げることにより形成される稜線部分に柔軟性部分が位置し、柔軟性部分を緩衝材のコーナ部に対応する所定の位置にすることが容易となり、バンドで締め付けた際、段ボール製梱包体の柔軟性部分が緩衝材のコーナ部に沿うことにより、段ボール製梱包体の稜線部のバンドの食い込みによる破損が防止できる。特に、緩衝材に発泡スチロール製を採用した場合において、バンドの締め付けによってその緩衝材のコーナ部が窪んでも、柔軟性部分がその窪みに伴う形状変化をして、段ボール製梱包体の稜線部のバンドの食い込みによる破損が防止できる。そして、段ボール製梱包体の柔軟性を有する部分は、段ボールをその表ライナーと裏ライナーから加圧して中芯を押し潰すことによって形成できるため、加工が簡単となり、段ボールの表ライナーと裏ライナーとが存在するため、強度的にも安定する。
【００１９】
第４発明では、罫線（筋）に沿って段ボールを折り曲げることにより形成される稜線部分に柔軟性部分が位置し、柔軟性部分を緩衝材のコーナ部に対応する所定の位置にすることが容易となり、バンドで締め付けた際、段ボール製梱包体の柔軟性部分が緩衝材のコーナ部に沿うことにより、段ボール製梱包体の稜線部のバンドの食い込みによる破損が防止できる。特に、緩衝材に発泡スチロール製を採用した場合において、バンドの締め付けによってその緩衝材のコーナ部が窪んでも、柔軟性部分がその窪みに伴う形状変化をして、段ボール製梱包体の稜線部のバンドの食い込みによる破損が防止できる。そして、罫線（筋）は、柔軟性部分の長さ方向の両端に形成されることにより、その柔軟性部分の両端で段ボールが折り曲げられるため、その折り曲げによって形成される稜線部分に柔軟性部分が位置し、柔軟性部分を緩衝材のコーナ部に対応する所定の位置にすることが容易となる。更に、段ボール製梱包体の柔軟性を有する部分は、段ボールをその表ライナーと裏ライナーから加圧して中芯を押し潰すことによって形成できるため、加工が簡単となり、段ボールの表ライナーと裏ライナーとが存在するため、強度的にも安定する。
【００２０】
第５発明では、第１発明並びに第２発明の効果に加えて、段ボール製梱包体の柔軟性を有する部分は、段ボールをその表ライナーと裏ライナーから加圧して中芯を押し潰すことによって形成できるため、加工が簡単となり、段ボールの表ライナーと裏ライナーとが存在するため、強度的にも安定する。
【００２１】
第６発明では、第１発明並びに第２発明の効果に加えて、緩衝材の外面コーナ部に形成した面取り部に柔軟性部分が対応することにより、段ボール製梱包体の稜線部の柔軟性部分が、その面取り部に沿った状態となるため、段ボール製梱包体の稜線部におけるバンドの食い込みによる破損を防止できるものである。このため、緩衝材は、発泡スチロール製に限らず、インジェクション成型された硬い合成樹脂製であっても差し支えない。更に、段ボール製梱包体の柔軟性を有する部分は、段ボールをその表ライナーと裏ライナーから加圧して中芯を押し潰すことによって形成できるため、加工が簡単となり、段ボールの表ライナーと裏ライナーとが存在するため、強度的にも安定する。
【００２２】
第７発明では、第１発明並びに第２発明の効果に加えて、緩衝材の外面コーナ部に形成した面取り部に対応した状態になり易く、段ボール製梱包体の稜線部におけるバンドの食い込みによる破損を防止できるものである。更に、段ボール製梱包体の柔軟性を有する部分は、段ボールをその表ライナーと裏ライナーから加圧して中芯を押し潰すことによって形成できるため、加工が簡単となり、段ボールの表ライナーと裏ライナーとが存在するため、強度的にも安定する。
【００２３】
第８発明では、第１発明乃至第７発明の効果に加えて、柔軟性を有する部分は、段ボール製梱包体の中芯による強度が残った状態となるため、柔軟性を有するが破損し難い強度を保持した状態となり、バンドによる締結にも十分耐え得るものとなる。
【００２４】
第９発明では、罫線（筋）に沿って段ボールを折り曲げることにより形成される稜線部分に柔軟性部分が位置し、柔軟性部分を緩衝材のコーナ部に対応する所定の位置にすることが容易となり、バンドで締め付けた際、段ボール製梱包体の柔軟性部分が緩衝材のコーナ部に沿うことにより、段ボール製梱包体の稜線部のバンドの食い込みによる破損が防止できる。特に、緩衝材に発泡スチロール製を採用した場合において、バンドの締め付けによってその緩衝材のコーナ部が窪んでも、柔軟性部分がその窪みに伴う形状変化をして、段ボール製梱包体の稜線部のバンドの食い込みによる破損が防止できる。そして、段ボール製梱包体の柔軟性を有する部分は、段ボールの表ライナー、裏ライナー若しくは中芯を除いた形態とすることによっても達成できるため、段ボールの製造後は、カッターによって段ボールの表ライナー若しくは裏ライナーを切り離せばよいこととなる。
【００２５】
第１０発明では、罫線（筋）に沿って段ボールを折り曲げることにより形成される稜線部分に柔軟性部分が位置し、柔軟性部分を緩衝材のコーナ部に対応する所定の位置にすることが容易となり、バンドで締め付けた際、段ボール製梱包体の柔軟性部分が緩衝材のコーナ部に沿うことにより、段ボール製梱包体の稜線部のバンドの食い込みによる破損が防止できる。特に、緩衝材に発泡スチロール製を採用した場合において、バンドの締め付けによってその緩衝材のコーナ部が窪んでも、柔軟性部分がその窪みに伴う形状変化をして、段ボール製梱包体の稜線部のバンドの食い込みによる破損が防止できる。そして、罫線（筋）は、柔軟性部分の長さ方向の両端に形成されることにより、その柔軟性部分の両端で段ボールが折り曲げられるため、その折り曲げによって形成される稜線部分に柔軟性部分が位置し、柔軟性部分を緩衝材のコーナ部に対応する所定の位置にすることが容易となる。更に、段ボール製梱包体の柔軟性を有する部分は、段ボールの表ライナー、裏ライナー若しくは中芯を除いた形態とすることによっても達成できるため、段ボールの製造後は、カッターによって段ボールの表ライナー若しくは裏ライナーを切り離せばよいこととなる。
また、第１１発明では、第１発明または第２発明の効果に加えて、段ボール製梱包体の柔軟性を有する部分は、段ボールの表ライナー、裏ライナー若しくは中芯を除いた形態とすることによっても達成できるため、段ボールの製造後は、カッターによって段ボールの表ライナー若しくは裏ライナーを切り離せばよいこととなる。
また、第１２発明では、第１１発明の効果に加えて、緩衝材の外面コーナ部に形成した面取り部に柔軟性部分が対応することにより、段ボール製梱包体の稜線部の柔軟性部分が、その面取り部に沿った状態となるため、段ボール製梱包体の稜線部におけるバンドの食い込みによる破損を防止できるものである。このため、緩衝材は、発泡スチロール製に限らず、インジェクション成型された硬い合成樹脂製であっても差し支えない。
また、第１３発明では、第１１発明の効果に加えて、緩衝材の外面コーナ部に形成した面取り部に対応した状態になり易く、段ボール製梱包体の稜線部におけるバンドの食い込みによる破損を防止できるものである。
【発明を実施するための最良の形態】
【００２６】
本発明に係る梱包装置は、被梱包体のコーナ部に発泡スチロール等で成形した緩衝材が当接したその外側を覆う段ボール製梱包体であって、前記緩衝材のコーナ部に対応する位置で前記段ボールを折り曲げるための罫線（筋）と、この折り曲げにて形成される稜線部分がその周辺部分に比して柔軟性を有する帯状の柔軟性部分を備え、前記罫線（筋）は、間隔を存して並行しその両端部で閉じる罫線（筋）によって長く帯状に延びた面積領域を区画形成し、この面積領域を前記柔軟性部分としたものであり、本発明の実施例を以下に記載する。
【実施例１】
【００２７】
本発明の実施の形態について説明する。図１は冷蔵庫等のように略直方体である被梱包体の梱包装置の斜視図、図２は略直方体又は略立方体をなす被梱包体の他の梱包状態を示す斜視図、図３は面取り部を備えた緩衝材と段ボール製梱包体の稜線部の関係を断面で示す分解図、図４は図３の緩衝材と段ボール製梱包体がバンドで締結された状態を示す断面図、図５は段ボールに形成した柔軟性の第１形態を示す図、図６は段ボールに形成した柔軟性の第２形態を示す図、図７は段ボールに形成した柔軟性の第３形態を示す図、図８は段ボールに形成した柔軟性の第４形態を示す図、図９は段ボールに形成した柔軟性の第５形態を示す図、図１０は波状中芯の段ボールの構成を部分断面で示す斜視図、図１１は段ボールに形成した柔軟性部分を断面で示す図である。
【００２８】
図１は本発明の梱包装置の一つの形態を示している。１は冷蔵庫等のように略直方体又は略立方体である被梱包体であり、被梱包体１の上下の左右部分のコーナ部には発泡スチロール等で成型された緩衝材２が当接され、上側左右の緩衝材２、２が内側のコーナ部に沿って収納される大きさに形成した上側梱包体３Ａを備え、被梱包体１の下側左右の緩衝材２、２が内側のコーナ部に沿って収納される大きさに形成した下側梱包体３Ｂを備えている。上側梱包体３Ａと下側梱包体３Ｂは、それぞれ段ボール４で構成した段ボール製梱包体であり、この段ボール４は、図１０に示すように、表ライナー４Ａと裏ライナー４Ｂとが波状の中芯４Ｃで結合された構成をなし、所定位置で折り曲げられて所定の形状に形成される。各緩衝材２は、上側梱包体３Ａと下側梱包体３Ｂの内側のコーナ部に貼着してもよいが、それぞれ分離状態で組み合わされる構成でもよい。このように、被梱包体１のコーナ部に緩衝材２が当接した状態で、その外側に段ボール製梱包体３Ａ、３Ｂが被せられ、この状態で、各緩衝材２に対応した外周をバンド５で締結する梱包装置である。なお、必要に応じて、被梱包体１を合成樹脂製フィルムのカバーで覆った状態で梱包することもできる。
【００２９】
図２には本発明の梱包装置のもう一つの形態を示している。これは略直方体又は略立方体である被梱包体１の上下の左右部分のコーナ部又は前後の上下部分のコーナ部に発泡スチロール等で成型された緩衝材２が当接され、これらの緩衝材が内側のコーナ部に沿って収納される大きさに形成した段ボール製梱包体３Ｃを被せた状態で、外周をバンド５で締結する梱包装置である。段ボール製梱包体３Ｃも上記同様に、段ボール４で構成され、この段ボール４は、図１０に示すように、表ライナー４Ａと裏ライナー４Ｂとが波状の中芯４Ｃで結合された構成をなす。
【００３０】
図１及び図２に示すように、段ボール４の折り曲げによって形成される段ボール製梱包体３Ａ、３Ｂ、３Ｃの稜線部が、バンド５の食い込みによって破損しないようにするために、段ボール製梱包体３Ａ、３Ｂ、３Ｃは、緩衝材２のコーナ部に対応する位置で、段ボール４を折り曲げるための罫線（筋）Ｑと、この折り曲げにて形成される稜線部分がその周辺部分に比して柔軟性を有する柔軟性部分６を備えた構成である。特に、緩衝材２の外面コーナ部が、曲線又は平面で面取りされた面取り部２Ａを形成している場合には、その面取り部２Ａに対応する段ボール製梱包体３Ａ、３Ｂ、３Ｃの稜線部分をバンド５の食い込みによる破損から防止するために、段ボール製梱包体３Ａ、３Ｂ、３Ｃは、緩衝材２の外面コーナ部の面取り部２Ａに対応する稜線部分を、その周辺部分に比して柔軟性を有する柔軟性部分６としている。
【００３１】
第１の形態として、図５に示すように、罫線（筋）Ｑは、細長い帯状の柔軟性部分６の長さ方向の両端に形成している。この柔軟性部分６の形状は、点線で囲んだ斜線領域で示すように細長い帯状に形成され、その両端の罫線（筋）Ｑのラインに沿って段ボール４が折り曲げられる。これによって、図１及び図２に示す稜線（ハ）の部分に柔軟性部分６が形成される形態となる。また、第２の形態として、図６に示すように、柔軟性部分６の形状は、点線で囲んだ斜線領域で示すように、細長い帯状に形成されて、その両端が鋭角状に窄まった形状をなし、罫線（筋）Ｑは、柔軟性部分６の両端鋭角状部から延びるように、細長い柔軟性部分６の長さ方向の両端に形成している。この場合も、段ボール４は罫線部（筋部）Ｑのラインに沿って折り曲げられる。これによって、図１及び図２に示す稜線（ハ）の部分に柔軟性部分６が形成される形態となる。
【００３２】
第３の形態としては、図７に示すように、罫線（筋）Ｑは、細長い帯状の柔軟性部分６の幅の中心部を通って柔軟性部分６の長さ方向に延びるように形成しており、柔軟性部分６の長さ方向の両端の外側にまで延びている。柔軟性部分６の形状は、図６に示す形態と同様に、点線で囲んだ斜線領域で示すように細長い帯状の両端が罫線（筋）Ｑに向かって鋭角状に窄まった形状をなしているが、図５に示す形態と同様に形成してもよい。この場合、両端の罫線部（筋部）Ｑのラインに沿って段ボール４が折り曲げられる。これによって、図１及び図２に示す稜線（ハ）の部分に柔軟性部分６が形成される形態となる。
【００３３】
第４の形態として、図８に示すように、間隔を存して並行しその両端部で閉じる罫線（筋）Ｑによって長く帯状に延びた面積領域を区画形成し、この面積領域を柔軟性部分６としている。柔軟性部分６の形状は、図６に示す形態と同様に、実線で示す罫線（筋）Ｑで囲んだ斜線領域で示すように、細長い帯状の両端が罫線部（筋部）Ｑに向かって鋭角状に窄まった形状をなしているが、図５に示す形態と同様に細長い矩形状に形成してもよい。この場合、柔軟性部分６の両端部の罫線部（筋部）Ｑのラインに沿って段ボール４が折り曲げられる。これによって、図１及び図２に示す稜線（ハ）の部分に柔軟性部分６が形成される形態となる。
【００３４】
第５の形態として、図９に示すように、罫線（筋）Ｑは、間隔を存して並行しその両端部で閉じる罫線（筋）Ｑによって長く帯状に延びた面積領域を区画形成する部分と、この面積領域の両端部から延びる部分とを備え、この帯状の面積領域を柔軟性部分６としている。柔軟性部分６の形状は、図６に示す形態と同様に、実線で示す罫線（筋）Ｑで囲んだ斜線領域で示すように、細長い帯状の両端が外側の罫線部（筋部）Ｑに向かって鋭角状に窄まった形状をなしているが、図５に示す形態と同様に細長い矩形状に形成してもよい。この場合、柔軟性部分６の両端の罫線部（筋部）Ｑのラインに沿って段ボール４が折り曲げられる。これによって、図１及び図２に示す稜線（ハ）の部分に柔軟性部分６が形成される形態となる。
【００３５】
図１１に示すように、上記の第１乃至第５の形態のいずれにおいても、罫線（筋）Ｑは、緩衝材２の外面コーナ部の面取り部２Ａに対面する裏ライナー４Ｂ部分において、プレス加工等の加圧によって、裏ライナー４Ｂが中芯４Ｃ側へ押されて中芯４Ｃも潰された状態の溝、又は筋といえる形態に形成される。裏ライナー４Ｂ部分に形成することにより、裏ライナー４Ｂ方向への段ボール４の折り曲げがし易くなる。なお、柔軟性部分６に罫線（筋）Ｑを形成する場合は、押し圧力によって表ライナー４Ａが外側へ若干膨らむ状態になることもある。
【００３６】
図１０には製造された正規の段ボール４の一つの形態を示しており、表ライナー４Ａと裏ライナー４Ｂとが波状の中芯４Ｃで結合された構成をなす。柔軟性部分６の形成の一つは、図１１に示すように、段ボール４の表ライナー４Ａと裏ライナー４Ｂからプレス機等によって加圧して、中芯４Ｃを押し潰すことによって形成される。中芯４Ｃを押し潰すとき、緩衝材２の外面コーナ部の面取り部２Ａに対面する裏ライナー４Ｂから中芯４Ｃを押し潰すことにより、段ボール４を折り曲げて箱型の段ボール製梱包体３Ａ、３Ｂ、３Ｃに整形する際、裏ライナー４Ｂ方向へ折り曲げる作業がし易くなる。また、この柔軟性部分６を形成する他の方法として、段ボール４の表ライナー、裏ライナー若しくは中芯を除いた形態とすることによっても達成できる。この場合、表ライナー４Ａ、裏ライナー４Ｂ、中芯４Ｃのいずれかの取り除きは、段ボール４の製造段階で行うことができるが、図１０のような製造された正規の段ボール４においては、カッターによって段ボール４の表ライナー４Ａ若しくは裏ライナー４Ｂを切り離すこともできる。裏ライナー４Ｂを除く場合も、段ボール４を折り曲げて箱型の段ボール製梱包体３Ａ、３Ｂ、３Ｃに整形する際、裏ライナー４Ｂ方向へ折り曲げる作業がし易くなる。
【００３７】
柔軟性部分６の形成は、バンド５を締結したとき、柔軟性部分６が緩衝材２の面取り部２Ａに対応状態で沿うことにより、段ボール製梱包体３Ａ、３Ｂ、３Ｃの稜線部分へのバンド５の食い込みを抑制して、その部分の破損が防止できるため、段ボール製梱包体３Ａ、３Ｂ、３Ｃを被せたとき、多少のずれがあっても柔軟性部分６が緩衝材２の面取り部２Ａに正確に対応できることが必要である。そのために、図３に示すように、柔軟性部分６の幅Ｌ２は、緩衝材２の外面コーナ部の面取り部の幅Ｌ１よりも十分幅広である。
【００３８】
また、梱包状態において、段ボール製梱包体３Ａ、３Ｂ、３Ｃの十分な強度を維持するために、各段ボール製梱包体３Ａ、３Ｂ、３Ｃにおいて、三つの稜線が交わる角部、例えば、図２において（イ）（ロ）（ハ）の三つの稜線が交わる角部７の強度を損なうことがないようにするために、柔軟性部分６は、段ボール製梱包体３Ａ、３Ｂ、３Ｃの稜線部、即ち、図２において稜線（ハ）の両端から出ない長さに形成されている。これによって、柔軟性部分６の長さ方向の両端と三つの稜線が交わる角部７との間には、柔軟性部分６が形成されないコーナ部８が残るため、三つの稜線が交わる角部７部分の強度が確保でき、安定した梱包状態を維持できる。
【００３９】
また、柔軟性部分６は、柔軟性を有するが破損し難い強度を保持するために、換言すれば、腰がある柔軟性を保持するために、段ボール製梱包体３Ａ、３Ｂ、３Ｃの中芯４Ｃによる強度が残った状態を維持できれば好ましい。このために、図１１に示すように、潰しによって形成される柔軟性部分６は、中芯４Ｃの波状の尾根４Ｃ１と交差する方向に長く形成されている。
【産業上の利用可能性】
【００４０】
梱包される物品は、冷蔵庫の限らず、空気調和機やその他の家庭電気器具、更には他物品の梱包装置としても有効である。また、段ボール製梱包体も３Ａ、３Ｂ、３Ｃに限定されず、他の形態でもよい。このため、上記の実施形態に限定されず、本発明の技術範囲において種々の構成の梱包装置の適用できる。
【図面の簡単な説明】
【００４１】
【図１】本発明に係る冷蔵庫等のように略直方体である被梱包体の梱包装置の斜視図である。（実施例１）
【図２】本発明に係る略直方体又は略立方体をなす被梱包体の他の梱包状態を示す斜視図である。（実施例１）
【図３】本発明に係る面取り部を備えた緩衝材と段ボール製梱包体の稜線部の関係を断面で示す分解図である。（実施例１）
【図４】図３の緩衝材と段ボール製梱包体がバンドで締結された状態を示す断面図である。（実施例１）
【図５】本発明に係る段ボールに形成した柔軟性の第１形態を示す図である。（実施例１）
【図６】本発明に係る段ボールに形成した柔軟性の第２形態を示す図である。（実施例１）
【図７】本発明に係る段ボールに形成した柔軟性の第３形態を示す図である。（実施例１）
【図８】本発明に係る段ボールに形成した柔軟性の第４形態を示す図である。（実施例１）
【図９】本発明に係る段ボールに形成した柔軟性の第５形態を示す図である。（実施例１）
【図１０】本発明に係る波状中芯の段ボールの構成を部分断面で示す斜視図である。（実施例１）
【図１１】本発明に係る段ボールに形成した柔軟性部分を断面で示す図である。（実施例１）
【図１２】従来技術に係る梱包装置の一例を断面で示す図である。
【図１３】面取り部を備えた緩衝材を用いた従来技術に係る梱包装置の一例を断面で示す図である。
【符号の説明】
【００４２】
１・・・・・被梱包体
２・・・・・緩衝材
２Ａ・・・・面取り部
３Ａ・・・・段ボール製梱包体
３Ｂ・・・・段ボール製梱包体
３Ｃ・・・・段ボール製梱包体
４・・・・・段ボール
４Ａ・・・・表ライナー
４Ｂ・・・・裏ライナー
４Ｃ・・・・中芯
４Ｃ１・・・中芯の尾根
５・・・・・バンド
６・・・・・柔軟性部分
７・・・・・稜線の交わる角部
８・・・・・柔軟性部分の両端部に残ったコーナ部
（イ）・・・段ボール製梱包体の稜線
（ロ）・・・段ボール製梱包体の稜線
（ハ）・・・段ボール製梱包体の稜線
Ｑ・・・・・罫線（筋）
【図１】
0004804086.tif 000002
【図２】
0004804086.tif 000003
【図３】
0004804086.tif 000004
【図４】
0004804086.tif 000005
【図５】
0004804086.tif 000006
【図６】
0004804086.tif 000007
【図７】
0004804086.tif 000008
【図８】
0004804086.tif 000009
【図９】
0004804086.tif 000010
【図１０】
0004804086.tif 000011
【図１１】
0004804086.tif 000012
【図１２】
0004804086.tif 000013
【図１３】
0004804086.tif 000014